(57)【要約】【課題】複数のコンピュータに対して同時に操作入力を行うことができるようにする。【解決手段】ユーザによって把持される筐体を備え、ユーザの操作入力に応じた信号である操作信号を生成する操作入力部、前記筐体の移動量及び移動方向に応じた信号である移動情報信号を生成する移動量検知部、及び前記操作信号もしくは前記移動情報信号を含む操作入力信号を複数の前記コンピュータに送信する通信インタフェース、が前記筐体に設けられてなるポインティングデバイスを提供する。【選択図】図１
2005346303.tif 000002
【特許請求の範囲】
【請求項１】
複数のコンピュータに接続して用いられるポインティングデバイスであって、
ユーザによって把持される筐体を備え、
ユーザの操作入力に応じた信号である操作信号を生成する操作入力部、前記筐体の移動量及び移動方向に応じた信号である移動情報信号を生成する移動量検知部、及び前記操作信号もしくは前記移動情報信号を含む操作入力信号を複数の前記コンピュータに送信する通信インタフェースが前記筐体に設けられてなること、
を特徴とするポインティングデバイス。
【請求項２】
請求項１に記載のポインティングデバイスであって、
前記通信インタフェースは、その一端に前記伝送信号が供給されるとともにその他端が夫々異なる前記コンピュータに接続する複数の通信ケーブルを含み、
前記各通信ケーブルに前記操作入力信号を供給するかどうかをユーザに設定させるスイッチが設けられ、
前記通信インタフェースは、前記複数の通信ケーブルのうち前記スイッチに設定されている通信ケーブルにのみ前記操作入力信号を供給すること、
を特徴とするポインティングデバイス。
【請求項３】
請求項１に記載のポインティングデバイスであって、
前記通信インタフェースは、ＵＳＢ、ＰＳ／２、ＩｒＤＡ、Ｂｌｕｅｔｏｏｔｈのうち少なくともいずれかの規格に従って前記操作入力信号を送信すること、
を特徴とするポインティングデバイス。
【請求項４】
請求項１に記載のポインティングデバイスであって、
前記筐体には、当該筐体が移動するのに伴って回転する回転体が収容され、
前記移動量検知部は、前記回転体のＸ方向及びＹ方向の回転量に基づいて前記移動情報信号を生成すること、
を特徴とするポインティングデバイス。
【請求項５】
請求項１に記載のポインティングデバイスであって、
前記筐体には、前記床面に光を照射する発光素子と、前記光の前記床面に対する反射光を受光する受光素子とが収容され、
前記移動量検知部は、前記受光素子によって受光される前記反射光に基づいて前記移動情報信号を生成すること、
を特徴とするポインティングデバイス。
【発明の詳細な説明】
【技術分野】
【０００１】
本発明は、マウスなどのポインティングデバイスに関し、とくに複数のコンピュータに対して同時に操作入力を行うことができるポインティングデバイスに関する。
【背景技術】
【０００２】
マウスはコンピュータに対して操作入力を行うためのポインティングデバイスとしてキーボードとともに広く普及している。また、より簡便に操作入力を行えるようにするために、昨今では様々なタイプのマウスが開発されている。
【特許文献１】特開２００２−４１２３７号公報
【発明の開示】
【発明が解決しようとする課題】
【０００３】
ところで、マウスは一台のコンピュータにのみ接続され、そのコンピュータの専用のデバイスとして機能させるのが通常の利用形態である。
【０００４】
しかしながら、コンピュータの利用目的によっては、一つのマウスを操作することにより複数のコンピュータに同時に操作入力を与えることができれば便利なことがある。例えば、学会発表や商品説明などで複数のコンピュータを使ってプレゼンテーションを行う場合には、説明の進行に合わせて夫々のコンピュータの表示内容を同時に変化させたいことがある。このような場合には、発表者が一つのマウスについて操作を行うだけで、その操作入力を複数のパソコンに対して同時に与えることができれば便利である。
【０００５】
本発明はこのような発想に基づいてなされたもので、複数のコンピュータに対して同時に操作入力を行うことができるポインティングデバイスを提供することを目的とする。
【課題を解決するための手段】
【０００６】
上記目的を達成するための本発明のうち請求項１に記載の発明は、複数のコンピュータに接続して用いられるポインティングデバイスであって、ユーザによって把持される筐体を備え、ユーザの操作入力に応じた信号である操作信号を生成する操作入力部、前記筐体の移動量及び移動方向に応じた信号である移動情報信号を生成する移動量検知部、及び前記操作信号もしくは前記移動情報信号を含む操作入力信号を複数の前記コンピュータに送信する通信インタフェースが前記筐体に設けられてなることとする。
【０００７】
本発明によれば、ポインティングデバイスが操作されることにより生成される操作入力信号を、同時に複数のコンピュータに供給することができる。そして、これによりユーザは、複数のコンピュータにおいて動作しているソフトウエアを同時に操作することが可能となる。
【０００８】
本発明のうち請求項２に記載の発明は、請求項１に記載のポインティングデバイスであって、前記通信インタフェースは、その一端に前記伝送信号が供給されるとともにその他端が夫々異なる前記コンピュータに接続する複数の通信ケーブルを含み、前記各通信ケーブルに前記操作入力信号を供給するかどうかをユーザに設定させるスイッチが設けられ、前記通信インタフェースは、前記複数の通信ケーブルのうち前記スイッチに設定されている通信ケーブルにのみ前記操作入力信号を供給することとする。  
このようなスイッチを備えることで、操作入力信号を与える必要のあるコンピュータを選択することができる。
【０００９】
本発明のうち請求項３に記載の発明は、請求項１に記載のポインティングデバイスであって、前記通信インタフェースは、ＵＳＢ、ＰＳ／２、ＩｒＤＡ、Ｂｌｕｅｔｏｏｔｈのうち少なくともいずれかの規格に従って前記操作入力信号を送信することとする。
【００１０】
本発明のうち請求項４に記載の発明は、請求項１に記載のポインティングデバイスであって、前記筐体には、当該筐体が移動するのに伴って回転する回転体が収容され、前記移動量検知部は、前記回転体のＸ方向及びＹ方向の回転量に基づいて前記移動情報信号を生成することとする。
【００１１】
本発明のうち請求項５に記載の発明は、請求項１に記載のポインティングデバイスであって、前記筐体には、前記床面に光を照射する発光素子と、前記光の前記床面に対する反射光を受光する受光素子とが収容され、前記移動量検知部は、前記受光素子によって受光される前記反射光に基づいて前記移動情報信号を生成することとする。
【発明の効果】
【００１２】
本発明によれば、複数のコンピュータに対して同時に同じ操作入力を行うことができる。
【発明を実施するための最良の形態】
【００１３】
以下、本発明の一実施形態について説明する。図１は本発明のポインティングデバイスの一実施形態として説明するマウス１０を、ユーザによって把持される筐体１１の上方から眺めた斜視図である。筐体１１の上面には、ユーザによって操作される、左ボタン１２１及び右ボタン１２２が設けられている。筐体１１の側面１４からは、ＵＳＢ（Universal Serial Bus）規格の２本の通信ケーブル１５１，１５２が延出している。通信ケーブル１５１，１５２には、左ボタン１２１、もしくは、右ボタン１２２に対するユーザの操作入力に応じて生成される信号である操作信号や、ユーザによって筐体１１が移動されることにより生成される、筐体１１の移動量及び移動方向に応じた信号である移動情報信号等を含んだ信号である操作入力信号が供給される。
【００１４】
図２は、マウス１０を筐体１１の底面側から眺めた斜視図である。筐体１１の底面１６には、各通信ケーブル１５１，１５２に対して前記操作入力信号を供給するかどうかをユーザに設定させる出力選択スイッチ１７が設けられている。
【００１５】
図１に示しているように、筐体１１の内部には、回路基盤１８が収容されている。回路基盤１８の、左ボタン１２１が配設されている位置の下部には、左ボタン１２１に対してユーザが行った操作に応じてオンオフされる左側マイクロスイッチ１９１が設けられている。また、回路基盤１８の、右ボタン１２２が配設されている位置の下部には、右ボタン１２２に対してユーザが行った操作に応じてオンオフされる右側マイクロスイッチ１９２が配設されている。
【００１６】
回路基盤１８の所定位置には、円形の開口２０が設けられている。この開口２０には、筐体１１が移動されるのに伴って、マウス１０が載置される床面との間の摩擦によって回転する、球状の回転体２１が収容されている。回転体２１には、回転体２１のＸ方向の回転に伴って回転するローラ２２１、及び回転体２１のＹ方向の回転に伴って回転するローラ２２２が接触している。ローラ２２１の回転軸２２３には、これと同軸にＸ方向ロータリエンコーダ２３１が設けられている。Ｘ方向ロータリエンコーダ２３１は、回転体２１のＸ方向の回転量に応じた信号（以下、Ｘ方向信号と称する）を生成する。ローラ２２２の回転軸２２４には、これと同軸にＹ方向ロータリエンコーダ２３２が設けられている。Ｙ方向ロータリエンコーダ２３２は、回転体２１のＹ方向の回転量に応じた信号（以下、Ｙ方向信号と称する）を生成する。なお、回転体２１には、上記ローラ２２１及びローラ２２２の他、加圧ローラ２４が接触しており、回転体２１は、ローラ２２１、ローラ２２２及び加圧ローラ２４によって適正位置に指示されている。
【００１７】
回路基盤１８には、集積回路２５が設けられている。集積回路２５には、左側マイクロスイッチ１９１及び右側マイクロスイッチ１９２から出力される、オンオフ信号を含む操作信号、Ｘ方向ロータリエンコーダ２３１から出力されるＸ方向信号、及び、Ｙ方向ロータリエンコーダ２３２から出力されるＹ方向信号が入力される。
【００１８】
図３は、本実施形態のマウス１０の電気的な接続関係を説明するブロック図である。集積回路２５には、入力されたＸ方向信号及びＹ方向信号とに基づいて、筐体１１の移動量及び移動方向に応じた信号である上述した移動情報信号を生成する信号生成回路２５１が実装されている。また、集積回路２５には、上記操作信号及び移動情報信号を含んだ上述の操作入力信号を生成し、この操作入力信号を通信ケーブル１５１，１５２に供給する通信回路２５２が実装されている。通信回路２５２には、図２に示した出力選択スイッチ１７の設定状態が入力される。通信回路２５２は、出力選択スイッチ１７の設定状態に応じて、通信ケーブル１５１，１５２の夫々に対する操作入力信号の供給有無を制御する。
【００１９】
なお、本実施形態の出力選択スイッチ１７は、上記設定状態として、通信ケーブル１５１に対してのみ操作入力信号を供給する設定（図２において出力選択スイッチ１７の設定が「１」になっている場合）、通信ケーブル１５２に対してのみ操作入力信号を供給する設定（図２において出力選択スイッチ１７の設定が「２」になっている場合）、及び、通信ケーブル１５１及び通信ケーブル１５２の双方に対して操作入力信号を供給する設定（図２において出力選択スイッチ１７の設定が「BOTH」になっている場合）の３つの設定が可能である。
【００２０】
次に、以上に説明したマウス１０の利用形態について説明する。図４は、利用形態の一例として説明するプレゼンテーションシステム４００の構成である。同図において、第一のパソコン１００及び第二のパソコン２００は、例えば、プレゼンテーション会場に用意されていたり、発表者がプレゼンテーション会場に持ち込んだりしたノート型パソコンやデスクトップ型パソコンなどである。なお、第一のパソコン１００や第二のパソコン２００は、ＰＤＡ（Personal Digital Assistant）や携帯型電話機などであることもある。
【００２１】
第一のパソコン１００には、マウス１０から延出する２本の通信ケーブル１５１，１５２のうち、一方の通信ケーブル１５１が接続している。第二のパソコン２００には、他方の通信ケーブル１５２が接続している。また、第二のパソコン２０には、プレゼンテーションの会場に設置されているスクリーン５０に映像を投影するプロジェクタ３００が、ディスプレイケーブル６０を介して接続している。
【００２２】
図５に第一のパソコン１００及び第二のパソコン２００のハードウエア構成を示している。第一のパソコン１００は、ＣＰＵ（Central Processing Unit）１１０、ＲＡＭ／ＲＯＭ等のメモリ１１１、ハードディスク１１２、入力インタフェース１１３、表示インタフェース１１４、キーボードなどの入力装置１１５、ディスプレイなどの表示装置１１６を備えている。入力インタフェース１１３は、入力装置１１４から送信されてくる操作入力信号を受信して、これをＣＰＵ１１に伝達する。マウス１０は、第一のパソコン１００の入力装置１１４の一つとして、通信ケーブル１５１を介して入力インタフェース１１３に接続されている。表示インタフェース１１４は、表示装置１１６に映像を出力する。
【００２３】
第二のパソコン２００は、ＣＰＵ２１０、ＲＡＭ／ＲＯＭ等のメモリ２１１、ハードディスク２１２、入力インタフェース２１３、表示インタフェース２１４、キーボードなどの入力装置２１５、ディスプレイなどの表示装置２１６を備えている。マウス１０は、第二のパソコン２００の入力装置２１５の一つとして、通信ケーブル１５２を介して入力インタフェース２１３に接続されている。プロジェクタ３００は、ディスプレイケーブル６０を介して第二のパソコン２００の表示インタフェース２１４に接続されている。
【００２４】
なお、第一のパソコン１００及び第二のパソコン２００は、上記の構成に加えて、フレキシブルディスクなどの磁気記録媒体読取装置、ＣＤ−ＲＯＭやＤＶＤ−ＲＯＭなどの光学式記録媒体の読取装置などを装着することもできる。これらの装置を用いることで、他のコンピュータで作成されたファイルを取り込んでハードディスク１１２，２１２に格納することができる。第一のパソコン１００及び第二のパソコン２００は、ＬＡＮ（Local Area Network）に接続するためのインタフェースを備えていることもある。この場合にはＬＡＮを介して上記ファイルをハードディスク１１２，２１２に格納することができる。
【００２５】
図６に第一のパソコン１００及び第二のパソコン２００で動作している主なソフトウエア（プログラム）を示している。第一のパソコン１００では、オペレーティングシステム３１１が動作している。このオペレーティングシステム３１１の制御下で第一のプレゼンテーションソフトウエア３１２が動作している。また、第二のパソコン２００では、オペレーティングシステム４１１が動作している。このオペレーティングシステム４１１の制御下で第二のプレゼンテーションソフトウエア４１２が動作している。なお、以下の説明では、第一のプレゼンテーションソフトウエア３１２のことを第一のプレゼンソフト３１２と、第二のプレゼンテーションソフトウエア４１２のことを第二のプレゼンソフト４１２と、夫々略記するものとする。
【００２６】
第一のプレゼンソフト３１２及び第二のプレゼンソフト４１２は、夫々、ユーザにスライドを編集させる機能、編集されたスライドを格納したファイルを生成する機能、及び、ファイルに格納されているスライドを再生する機能などを備えている。そして、第一のプレゼンソフト３１２と第二のプレゼンソフト４１２は、夫々、スライドを再生する機能に関して互換性を有している。また、第一のプレゼンソフト３１２及び第二のプレゼンソフト４１２は、取り扱い（アクセス）可能なファイルに関して互換性を有している。
【００２７】
第一のプレゼンソフト３１２及び第二のプレゼンソフト４１２によって取り扱われるファイルには、メモ書きや資料などの情報を格納しておくことができる。第一のプレゼンソフト３１２は、ユーザの操作入力に応じて、上記ファイルに格納されているメモ書きや資料などの情報を適宜表示する。この機能を利用することで、発表者は、あらかじめ用意しておいたメモ書きや資料などの情報をプレゼンテーション中に随時参照することができる。以下では、この機能のことを参照機能と称することとする。また、第一のプレゼンソフト３１２は、上記ファイルに新たな情報を追記する機能も備えている。以下では、この機能のことを追記機能と称することとする。この追記機能を利用することで、発表者は、例えば、プレゼンテーション中に思いついた事や聴衆から受け付けた質問などをいつでも上記ファイルに追記しておくことができる。
【００２８】
図７は、以上に説明したプレゼンテーションシステム４００を使って行われるプレゼンテーションの方法を説明するフローチャートである。プレゼンテーションに際し、発表者は、まず、あらかじめ用意しておいたプレゼンテーションに用いるスライドを格納したファイルを、第一のパソコン１００及び第二のパソコン２０のハードディスク１１２，２１２に格納（セットアップ）しておく（Ｓ７１１）。なお、第一のパソコン１００及び第二のパソコン２０のハードディスク１１２，２１２に本実施形態では全く同じ内容のファイルが格納されるものとする。
【００２９】
次に、発表者は、第一のパソコン１００において第一のプレゼンソフト３１２を起動し、また、第二のパソコン２００において第二のプレゼンソフト４１２を、夫々起動する（Ｓ７１２）。そして、動作を開始した第一のプレゼンソフト３１２及び第二のプレゼンソフト４１２の夫々において、Ｓ７１１において格納しておいた上記ファイルを開く（Ｓ７１３）。次に、発表者は、第一のプレゼンソフト３１２、もしくは、第二のプレゼンソフト４１２を操作して、第一のパソコン１００の表示装置１１６と第二のパソコン２００の表示装置２１６（もしくはスクリーン５０）に全く同じスライドが表示されている状態とする（Ｓ７１４）。なお、この操作において、本実施形態のマウス１０を使用する場合には、マウス１０の出力選択スイッチ１７を、通信ケーブル１５１のみ操作入力信号を供給する設定（出力選択スイッチ１７を「１」とする設定）や、通信ケーブル１５２のみ操作入力信号を供給する設定（出力選択スイッチ１７を「２」とする設定）とすることにより、マウス１０が、第一のパソコン１００もしくは第二のパソコン２００のいずれかに対する専用のマウスとして機能するようにする。
【００３０】
図８はこの時点で表示装置１１６、表示装置２１６（もしくはスクリーン５０）に表示される映像の一例を示している。なお、以下の説明では、表示装置１１６に表示される映像のことを第一の映像と、表示装置２１６（もしくはスクリーン５０）に表示される映像のことを第二の映像と称することとする。
【００３１】
次に、発表者は、マウス１０の出力選択スイッチ１７の設定を、通信ケーブル１５１及び通信ケーブル１５２の双方に操作入力信号を供給する設定（図２において出力選択スイッチ１７の設定が「BOTH」にする設定）とした後（Ｓ７１５）、プレゼンテーションを開始する（Ｓ７１６）。
【００３２】
図８にプレゼンテーション中に第一の映像もしくは第二の映像として表示されるスライドの一例を示している。同図において、次画面ボタン８１０がクリックされると、上記ファイルに現在表示されているスライドの次に表示されるように設定されているスライドが表示される。一方、前画面ボタン８１１がクリックされると、上記ファイルに現在表示されているスライドの前に表示されるように設定されているスライドが表示される。
【００３３】
上述したように、プレゼンテーション中においては、発表者は、マウス１０の出力選択スイッチ１７を、通信ケーブル１５１及び通信ケーブル１５２の双方に操作入力信号を供給するように設定している。従って、発表者がマウス１０に対して何らかの操作を行うと、その操作に起因する操作入力信号が、第一のパソコン１００及び第二のパソコン２００の双方に対して入力されることになる。従って、例えば、発表者が、次のスライドを表示させようとしてマウス１０により次画面ボタン８１０をクリックすると、その操作入力信号は、第一のパソコン１００の入力インタフェース１１３及び第二のパソコン２００の入力インタフェース２１３の双方に同時に入力され、第一のパソコン１００の表示装置１１６に表示されているスライドと、第二のパソコン２００の表示装置２１６（もしくはプロジェクタ３００）に表示されているスライドは、現在表示されているスライドの次のスライドに同時に変更されることになる。
【００３４】
また、前画面ボタン８１１がクリックされた場合にも、第一のパソコン１００の表示装置１１６、及び第二のパソコン２００の表示装置２１６（もしくはプロジェクタ３００）に表示されているスライドは、共に現在表示されているスライドの前のスライドに同時に変更されることになる。
【００３５】
つまり、本発明のマウス１０を用いることで、発表者は、第一のパソコン１００と第二のパソコン２００との双方に対して、スライドを変更するための操作を個別に行う必要がなく、発表者は一つのマウス１０に対して操作を行うだけで、第一のパソコン１００と第二のパソコン２００の双方に対して同時に同じ操作入力を行うことができる。
【００３６】
なお、上述したように、第一のプレゼンソフト３１２と第二のプレゼンソフト４１２とは、スライドを再生する機能において互換性を有している。また、再生元のファイルも全く同じ内容のファイルである。従って、発表者が第一のプレゼンソフト３１２と第二のプレゼンソフト４１２の双方に対して同じ操作を行っている限り、第一の映像として表示されるスライドと第二の映像として表示されるスライドは常に一致することになる。
【００３７】
発表者は、プレゼンテーション中において、上述した参照機能を利用することにより、メモ書きや資料などの情報を随時参照することができる。ここで参照機能を利用する場合には、参照機能に関する操作を行っているところや、メモ書きや資料などの情報は、普通は聴衆に見せたくないものである。そこで、参照機能を利用する場合には、発表者は、出力選択スイッチ１７を「１」に設定し、第一のパソコン１００に対してのみマウス１０が有効となるようにする。図９は、参照機能によって第一の映像として表示されているスライドとともにメモ書きや資料などの情報が表示されている様子である。同図において、メモ書きや資料などの情報は、符号９１０で示す枠内に表示される。このように、本発明のマウス１０を用いることで、聴衆に見苦しい印象を与えることなく、参照機能を利用することができる。
【００３８】
プレゼンテーション中においては、発表者は、上述した追記機能を利用することで、プレゼンテーション中にふと思いついた事や、聴衆から受け付けた質問などの情報を上記ファイルに追記しておくこともできる。この場合においても、発表者は、追記機能に関する操作を行っているところや、追記した内容などは、普通は聴衆に見せたくないと思うものである。そこでこの場合においても、発表者は、出力選択スイッチ１７を「１」に設定することになる。これにより発表者は、見せたくない情報を聴衆に見せることなく、また、聴衆に見苦しい印象を与えることなく、追記機能を利用することができる。
【００３９】
参照機能や追記機能に関する操作を行った後、発表者は再び出力選択スイッチ１７の設定を「BOTH」に戻してプレゼンテーションを続行する。そして、プレゼンテーション１の終了後は、発表者は、出力選択スイッチ１７を操作して第一のパソコン１００及び第二のパソコン２００に対して所定の操作を行ってから、第一のプレゼンソフト３１２及び第二のプレゼンソフト４１２を終了させる（Ｓ７１７）。
【００４０】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【００４１】
例えば、マウス１０は、以上説明したような回転体を用いる機械式のものに限られない。例えば、床面に光を照射する発光素子と、前記光の床面に対する反射光を受光する受光素子とを筐体１１に収容し、移動情報検知機構によって受光素子によって受光される前記反射光に基づいて前記移動情報信号を生成するようにした、いわゆる光学式のマウスについても本発明を適用することができる。
【００４２】
また、マウス１０が接続されるコンピュータのうち一部のコンピュータにのみ操作入力信号を供給する必要性がない場合には、本発明は、例えば、既存のマウスの通信ケーブルにＵＳＢハブなどの信号分配機を接続し、ＵＳＢハブから各コンピュータに操作入力信号を供給する方法によっても実施することもできる。
【００４３】
マウス１０とコンピュータとの間で行われる通信は、ＵＳＢ以外にも、例えば、ＰＳ／２、ＩｒＤＡ、Ｂｌｕｅｔｏｏｔｈなどを用いることもできる。また、通信ケーブルの数は２本に限られるわけではなく、通信ケーブルを３本以上有する構成とし、より多くのコンピュータに対して同時に操作入力信号を供給するようにすることもできる。
【図面の簡単な説明】
【００４４】
【図１】本発明のポインティングデバイスの一実施形態として説明する、コンピュータに接続して用いられるマウス１０を筐体の上面方向から眺めた斜視図である。
【図２】本発明のポインティングデバイスの一実施形態として説明するマウス１０を筐体１１の底面方向から眺めた斜視図である。
【図３】本発明の一実施形態のマウス１０の電気的な接続関係を説明するブロック図である。
【図４】本発明の一実施形態として説明するプレゼンテーションシステム４００のシステム構成を示す図である。
【図５】本発明の一実施形態として説明する第一のパソコン１００及び第二のパソコン２００のハードウエア構成を示す図である。
【図６】本発明の一実施形態として説明する第一のパソコン１００及び第二のパソコン２００で動作する主なソフトウエア（プログラム）を示す図である。
【図７】本発明の一実施形態として説明するプレゼンテーションシステム４００を使って行われるプレゼンテーションの一利用形態を説明するフローチャートを示す図である。
【図８】本発明の一実施形態として説明するプレゼンテーションにおいて表示装置１１６、表示装置２１６（もしくはスクリーン５０）に表示される映像の一例を示す図である。
【図９】本発明の一実施形態として説明する参照機能によって第一の映像として表示されているスライドとともにメモ書きや資料などの情報が表示されている様子を示す図である。
【符号の説明】
【００４５】
１０  マウス
１１  筐体
１７  出力選択スイッチ
１８  回路基盤
２５  集積回路
１２１  左ボタン
１２２  右ボタン
１５１  通信ケーブル
１５２  通信ケーブル
２３１  Ｘ方向ロータリエンコーダ
２３２  Ｙ方向ロータリエンコーダ
【図１】
2005346303.tif 000003
【図２】
2005346303.tif 000004
【図３】
2005346303.tif 000005
【図４】
2005346303.tif 000006
【図５】
2005346303.tif 000007
【図６】
2005346303.tif 000008
【図７】
2005346303.tif 000009
【図８】
2005346303.tif 000010
【図９】
2005346303.tif 000011